(57)【要約】【課題】回動レバーを有し良好な操作性で充分な防水性能を備えた防水機器を提供する。【解決手段】回動軸Ｘ１周りに往復回動し回動軸と平行に突出し回動軸周りに移動する押圧用突部４ｃを有する回動レバー４と、回動軸の交差面に位置する回動軸部１２ａと回動軸部周りに揺動し回動軸部を挟んで配置される一対の突部腕１２ｂとを有し回動レバーの回動で突部腕の一方が押圧変位し、回動レバーの他回動で突部腕の他方が押圧変位する揺動腕部材１２と、第１，第２スイッチ１０ａを有し第１スイッチを一方の突部腕の対向位置に、第２スイッチを他方の突部腕の対向位置に各配置した電気基板１０と、電気基板と揺動腕部材との間に配置され第１，第２スイッチを水密に覆い揺動腕部材が揺動し突部腕の一方の変位時のみ第１スイッチをオンする第１接点９ａａと、突部腕の他方の変位時のみ第２スイッチをオンする第２接点９ａａとを有する水密用カバー部材９とを備える。【選択図】図１
2017219707.tif 000002
【特許請求の範囲】
【請求項１】
回動軸周りに往復回動自在に設けられ、該回動軸と平行な方向に突出し、該回動軸周りの周方向に移動可能な押圧用突部を有し、往復回動操作される回動操作レバーと、
上記回動操作レバーの上記回動軸と交差する面上に位置した回動軸部と、該回動軸部を揺動中心として揺動し、該回動軸部を挟むように配置された一対の突部腕とを有し、上記回動操作レバーの一方向の回動により該一対の突部腕の一方の突部腕が上記押圧用突部で押圧され変位し、上記回動操作レバーの他方向の回動により該一対の突部腕の他方の突部腕が上記押圧用突部で押圧され変位する揺動腕部材と、
第１のスイッチパターンと第２のスイッチパターンとを有し、該第１のスイッチパターンは上記一方の突部腕と対向する位置に配置され、該第２のスイッチパターンは上記他方の突部腕と対向する位置に配置された電気基板と、
上記電気基板と上記揺動腕部材との間に配置され、第１のスイッチパターンと第２のスイッチパターンとを水密に覆い、上記揺動腕部材が揺動し、上記一対の突部腕の一方の突部腕が変位した場合のみ、上記第１のスイッチパターンを電気的にオンとする第１の接点と、上記一対の突部腕の他方の突部腕が変位した場合のみ、上記第２のスイッチパターンを電気的にオンとする第２の接点とを有する水密用カバー部材と、
を具備したことを特徴とする防水機器。
【請求項２】
上記回動操作レバーの往復回動の中間位置を維持し、上記回動操作レバーの上記一方向への回動時及び上記回動操作レバーの上記他方向への回動時に、上記回動操作レバーを上記中間位置へ向けて付勢する付勢ばねを、さらに具備したことを特徴とする請求項１記載の防水機器。
【請求項３】
上記回動操作レバーの回動中心軸と略一致する移動軸を有し、該移動軸に沿う方向に移動可能な移動部を備え、上記移動部が上記移動軸に沿う方向に移動することによって電気的スイッチを開閉する操作部材を、さらに具備したことを特徴とする請求項１又は請求項２記載の防水機器。
【発明の詳細な説明】
【技術分野】
【０００１】
この発明は、操作レバーを有する防水機器であって、特に回動操作式の回動操作レバーを有する防水機器に関するものである。
【背景技術】
【０００２】
従来、様々な用途に対応した種々の電子機器が実用化され広く普及している。例えば、水中での使用を可能とするための、いわゆる防水機能を具備して構成される防水機器が一般に実用化されている。
【０００３】
この種の防水機器の一例としては、例えば水中での使用を可能とするための防水機能を具備して構成される撮像装置がある。この種の撮像装置は、例えば撮像光学系により結像された光学像を撮像素子等を用いて順次画像信号に変換して画像信号を取得し、取得された画像信号に基く画像を表示装置を用いて順次連続的に表示し得るように構成されている。また、当該撮像装置は、撮像指示信号が発生した時には、その指示信号の発生時点若しくはその前後の所定期間における静止画像若しくは動画像の画像信号を取得して、その画像信号を所定の形態の画像データに変換した後、記憶媒体に記録する機能を有する。さらに、当該撮像装置は、再生指示信号が発生した時には、記憶媒体に記録済みの画像データを所定の形態の画像信号に変換して、その画像信号に基く画像を表示装置を用いて再生表示し得るように構成されている。
【０００４】
従来のこの種の防水機器においては、機器外部に設けられる操作部材を使用者（ユーザ）が操作して入力される操作入力を機器内部の電気基板上のスイッチ部材等に対して作用させることによって、当該スイッチ部材等から所定の電気信号を出力させて各種の動作制御を行うように構成されている。この場合において、操作部材と、当該操作部材が取り付けられる機器筐体との間に防水手段を設けたり、若しくは操作部材又はスイッチ部材自身が防水手段を具備することによって、機器の防水機能を実現している。このような防水機能を実現するための構成上の工夫については、例えば実開平５−５０６３３号公報（引用文献１）等によって、従来より種々提案されている。
【０００５】
上記実開平５−５０６３３号公報（引用文献１）等によって開示されているスイッチ部材は、密閉型の防水スライドスイッチであって、摺動する操作部材の直線運動を軸部材の回動運動に変換する機構を備え、この変換機構を介することで、摺動操作部材であっても、回動運動に対応したスイッチ接触機構を動作させることができるように構成している。この構成においては、回動軸にＯリングを設けることによって機器の防水機能を実現している。
【０００６】
ところで、従来の電子機器において適用される一般的な形態の操作部材としては、上記実開平５−５０６３３号公報（引用文献１）等によって開示されているような摺動操作式の操作部材のほか、例えば、押圧操作式の操作部材や、回動操作式の操作部材等、各種の形態の操作部材がある。
【０００７】
そして、例えば、電動ズームレンズを一体に搭載した形態の撮像装置（いわゆるレンズ一体型カメラなどと呼ばれる撮像装置）においては、ズーミング操作を行うための操作部材（ズームレバー）として回動操作式の操作部材が適用されている例が多く見られる。
【０００８】
この種の形態の操作部材、即ち回動操作式の操作部材（回動操作レバー）の具体的な構成としては、例えばシャッターレリーズボタンの外周縁を囲うように構成され、かつ当該シャッターレリーズボタンの中心軸と同軸に回動軸を有し、当該回動軸を中心として回動自在に構成されるものが一般に実用化されている。この構成において、当該回動操作レバーは、回動軸の円周方向に、所定の回動範囲内で正逆方向に往復回動し得るように構成されている形態のものが一般である。このような形態の回動操作式の操作部材（回動操作レバー）は、操作性が良好なものであることから、撮像装置におけるズーム操作部材として広く一般に普及している。
【先行技術文献】
【特許文献】
【０００９】
【特許文献１】実開平５−５０６３３号公報
【発明の概要】
【発明が解決しようとする課題】
【００１０】
ところが、上述のような回動操作式の操作部材（回動操作レバー）を、防水機能を具備する防水機器に適用する場合において、充分な防水性能を実現し、かつその防水性能を確実に維持するような構成を実現するためには、構成が複雑化したり、製造コストが増大化してしまう傾向があるという問題点があった。そのために、従来において、防水機器に回動操作式の操作部材（回動操作レバー）を適用することは現実的ではなかった。
【００１１】
本発明は、上述した点に鑑みてなされたものであって、その目的とするところは、回動操作式の操作部材（回動操作レバー）を適用することで良好な操作性を確保しながら、当該回動操作式の操作部材（回動操作レバー）周りの充分な防水性能を、簡単な構成で実現すると共に、その防水性能を容易に維持することのできる構成を備えた防水機器を提供することである。
【課題を解決するための手段】
【００１２】
上記目的を達成するために、本発明の一態様の防水機器は、回動軸周りに往復回動自在に設けられ、該回動軸と平行な方向に突出し、該回動軸周りの周方向に移動可能な押圧用突部を有し、往復回動操作される回動操作レバーと、上記回動操作レバーの上記回動軸と交差する面上に位置した回動軸部と、該回動軸部を揺動中心として揺動し、該回動軸部を挟むように配置された一対の突部腕とを有し、上記回動操作レバーの一方向の回動により該一対の突部腕の一方の突部腕が上記押圧用突部で押圧され変位し、上記回動操作レバーの他方向の回動により該一対の突部腕の他方の突部腕が上記押圧用突部で押圧され変位する揺動腕部材と、第１のスイッチパターンと第２のスイッチパターンとを有し、該第１のスイッチパターンは上記一方の突部腕と対向する位置に配置され、該第２のスイッチパターンは上記他方の突部腕と対向する位置に配置された電気基板と、上記電気基板と上記揺動腕部材との間に配置され、第１のスイッチパターンと第２のスイッチパターンとを水密に覆い、上記揺動腕部材が揺動し、上記一対の突部腕の一方の突部腕が変位した場合のみ、上記第１のスイッチパターンを電気的にオンとする第１の接点と、上記一対の突部腕の他方の突部腕が変位した場合のみ、上記第２のスイッチパターンを電気的にオンとする第２の接点とを有する水密用カバー部材と、を具備した。
【発明の効果】
【００１３】
本発明によれば、回動操作式の操作部材（回動操作レバー）を適用することで良好な操作性を確保しながら、当該回動操作式の操作部材（回動操作レバー）周りの充分な防水性能を、簡単な構成で実現すると共に、その防水性能を容易に維持することのできる構成を備えた防水機器を提供することができる。
【図面の簡単な説明】
【００１４】
【図１】本発明の一実施形態の防水機器（撮像装置）における内部構成のうち、特に回動操作式の操作部材（回動操作レバー）を含む操作部ユニットの詳細構成を示す要部外観斜視図
【図２】本実施形態の防水機器（撮像装置）に適用される操作部ユニットの構成部材のうち回動操作式の操作部材（回動操作レバー）のみを取り出して拡大して示し、かつ図１とは異なる角度から見た場合の形態を示す拡大外観斜視図
【図３】本実施形態の防水機器（撮像装置）に適用される操作部ユニットの構成部材のうち保持部材（ズームベース部材）及び揺動腕部材（ズーム押子）の組立体を取り出して拡大して示し、かつ図１の矢印符号［３］−［３］線に相当する線に沿って切断した場合の半断面斜視図
【図４】本実施形態の防水機器（撮像装置）に適用される操作部ユニットの構成部材のうち揺動腕部材（ズーム押子）のみを取り出して拡大して示す拡大外観斜視図
【図５】本実施形態の防水機器（撮像装置）に適用される操作部ユニットの構成部材のうち防水部材（防水ゴム）のみを取り出して拡大して示し、かつ図１とは異なる角度から見た場合の形態を示す拡大外観斜視図
【図６】本実施形態の防水機器（撮像装置）に適用される操作部ユニットの構成部材のうち保持部材（ズームベース部材）及びレリーズ操作部材（シャッターレリーズボタン）の組立体を取り出して拡大して示す拡大外観斜視図
【図７】本実施形態の防水機器（撮像装置）に適用される操作部ユニットの要部拡大断面図（図３の矢印符号［７］−［７］線に相当する線に沿って切断した場合の断面図）
【発明を実施するための形態】
【００１５】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００１６】
本発明の一実施形態の防水機器は、水中での使用を可能とするための防水機能を具備すると共に、回動操作式の操作部材（回動操作レバー）を有して構成される撮像装置、例えばデジタルカメラ（カメラ）を一例として挙げるものである。この撮像装置は、具体的には例えば、撮像光学系により結像された光学像を撮像素子等を用いて順次画像信号に変換し、これにより取得された画像信号に基く画像を表示装置を用いて順次連続的に表示する。また、当該撮像装置は、撮像指示信号が発生した時には、その指示信号の発生時点若しくはその前後の所定期間における静止画像若しくは動画像の画像信号を取得する。そして、当該撮像装置は、取得した画像信号を所定の形態の画像データに変換して記憶媒体に記録する。さらに、当該撮像装置は、再生指示信号が発生した時には、記憶媒体に記録済みの画像データを所定の形態の画像信号に変換して、その画像信号に基く画像を表示装置を用いて再生表示し得る。これに加えて、当該撮像装置は、水中での使用を可能とするための防水機能を具備して構成されているものである。
【００１７】
なお、本実施形態においては、当該撮像装置の各面について以下のように定義する。当該撮像装置の使用時において被写体に対向する面を前面というものとする。また、当該撮像装置の使用時に使用者が対面する面を背面というものとする。そして、当該撮像装置に設けられる複数の操作部材のうち例えばシャッターレリーズボタンが配設されている面を上面というものとする。さらに、当該撮像装置の上面に対向する面を底面というものとする。また、当該撮像装置の通常の使用状態で両側に配置される面を左側面及び右側面というものとする。この場合における左右の判別は、被写体側から当該撮像装置の前面に向かって見たときの左側又は右側をそれぞれ左又は右として区別するものとする。
【００１８】
図１は、本発明の一実施形態の防水機器（撮像装置であるカメラ）における内部構成のうち、特に回動操作式の操作部材（回動操作レバー）を含む操作部ユニットの詳細構成を示す要部外観斜視図である。この図１においては、本実施形態の防水機器（撮像装置１）における内部構成の主要部（回動操作式の操作部材（回動操作レバー）を含む操作部ユニット２０）の構成を示すために、当該防水機器（撮像装置１）の外部を覆う外装部材の図示は省略している（なお、外装部材については一部のみを図示している（図１の符号３参照））。また、この図１においては、本発明の要旨となる構成、即ち、具体的には回動操作式の操作部材（回動操作レバー）を含む操作部ユニット２０の周辺構成）を主に示している。したがって、図１においては、本発明とは直接関わりのない構成部材、例えば機器筐体の内部に収納配置される各種の構成ユニット、具体的には例えば撮像光学系や撮像素子等を含む撮像ユニットや、表示パネル等を含む表示ユニット、制御用メイン基板等を含む電気的な構成ユニット等の図示は省略している。
【００１９】
図２は、本実施形態の防水機器（撮像装置）に適用される操作部ユニットの構成部材のうち回動操作式の操作部材（回動操作レバー）のみを取り出して拡大して示し、かつ図１とは異なる角度から見た場合の形態を示す拡大外観斜視図である。
【００２０】
図３は、本実施形態の防水機器（撮像装置）に適用される操作部ユニットの構成部材のうち保持部材（ズームベース部材）及び揺動腕部材（ズーム押子）の組立体を取り出して拡大して示し、かつ図１の矢印符号［３］−［３］線に相当する線に沿って切断した場合の半断面斜視図である。
【００２１】
図４は、本実施形態の防水機器（撮像装置）に適用される操作部ユニットの構成部材のうち揺動腕部材（ズーム押子）のみを取り出して拡大して示す拡大外観斜視図である。
【００２２】
図５は、本実施形態の防水機器（撮像装置）に適用される操作部ユニットの構成部材のうち防水部材（防水ゴム）のみを取り出して拡大して示し、かつ図１とは異なる角度から見た場合の形態を示す拡大外観斜視図である。
【００２３】
図６は、本実施形態の防水機器（撮像装置）に適用される操作部ユニットの構成部材のうち保持部材（ズームベース部材）及びレリーズ操作部材（シャッターレリーズボタン）の組立体を取り出して拡大して示す拡大外観斜視図である。
【００２４】
図７は、本実施形態の防水機器（撮像装置）に適用される操作部ユニットの要部拡大断面図である。なお、図７は、図３の矢印符号［７］−［７］線に相当する線に沿って切断した場合の断面図である。
【００２５】
本発明の一実施形態の防水機器である撮像装置１は、上述したように、水中での使用を可能とするための防水機能を具備すると共に、回動操作式の操作部材（回動操作レバー；図面において符号４参照）を含む操作部ユニット２０を有して構成されている。
【００２６】
本実施形態の撮像装置１における操作部ユニット２０は、回動操作レバー（符号４）と、押圧操作式の操作部材（符号５，６）との複数の操作部材を有して構成される組立体である。この操作部ユニット２０は、図１に示すように、当該撮像装置１の上面の左寄りの部位に配設されている。
【００２７】
本実施形態の撮像装置１は、基本筐体となる本体筐体２と、この本体筐体２の内部に収納配置される複数の構成ユニット（不図示）と、本体筐体２の外面を覆う複数の外装部材（例えばトップカバー３、その他の外装部材は不図示）と、当該外装部材の外表面から一部が露呈するように配設される複数の操作部材（符号４，５，６等）等を有して構成されている。
【００２８】
上記本体筐体２は、当該撮像装置１における背面以外の各面（前面，上面，底面，左右側面）をほぼ覆うと共に内部に空間を有するような形状、例えば略矩形箱型形状に形成されている。そして、当該本体筐体２の内部には、不図示の各種構成ユニットが収納配置されている。
【００２９】
上記本体筐体２の前面には、その略中央部分に撮像開口２ａが形成されている（図１参照）。この撮像開口２ａは、被写体からの光束を当該撮像装置１の内部に導入するための開口である。また、当該本体筐体２の上面には、その左寄りの部位に、上記操作部ユニット２０を配設するための操作部ユニット配設用開口２ｂが形成されている。そして、上記操作部ユニット２０を構成する各構成部材は、当該操作部ユニット配設用開口２ｂ（を形成する当該本体筐体２の上面）を挟んで、一部が本体筐体２の外部に配設され、他の一部が本体筐体２の内部に配設されている。即ち、簡略に言うと、上記操作部ユニット２０に含まれる構成部材のうち、複数の操作部材（４，５，６）等が本体筐体２の外部に配設され、これら複数の操作部材からの操作入力を受ける複数の電気的構成部材（複数の電気的スイッチ（符号１０ａ，１０ｂ，１０ｃ）と、これらを実装した電気基板（符号１０）等；いずれも詳細後述）等が本体筐体２の内部に配設されている。
【００３０】
次に、上記操作部ユニット２０の詳細構成を説明する。即ち、上記操作部ユニット２０は、複数の操作部材（符号４，５，６）と、ズームベース部材７と、トップフレーム板８と、電気基板１０と、ベースフレーム板１１と、ズーム押子（plunger）１２と、ズームバネ１３と、レリーズスプリング１４等と、外装部材の一部であるトップカバー３と、防水手段であり水密用カバー部材である防水ゴム９等を含んで構成されている。
【００３１】
トップカバー３は、本体筐体２の外面の一部、即ち上面の左寄りの部位を覆う外装部材である。当該トップカバー３は、複数のビス１５を用いて本体筐体２の上面に対して固定される。なお、本実施形態においては、図１に示すように、トップカバー３の固定用ビスとして二本のビス１５を用いた例を示している。
【００３２】
また、当該トップカバー３は、上述したように、当該撮像装置１の外面の一部を覆う外装部材であるが、上記複数の操作部材（符号４，５，６）のそれぞれを外部から操作可能とするために、各操作部材の一部を外部に露呈させるように構成されている。つまり、上記トップカバー３は、上記複数の操作部材（符号４，５，６）の一部を露呈させると共に、それ以外の部分を覆うように構成されている。さらに、当該トップカバー３は、上記複数の操作部材（符号４，５，６）のうちの回動操作レバー（符号４）を回動操作を行ない得る状態で保持する保持部材でもある。
【００３３】
上記複数の操作部材（符号４，５，６）のうちの回動操作レバー（符号４）は、例えばズーミング操作を行うための操作部材（ズームレバー４）である。また、上記複数の操作部材（符号４，５，６）のうちの符号５で示す押圧操作式の操作部材は、例えばシャッターレリーズ操作を行うためのレリーズ操作部材（シャッターレリーズボタン５）である。そして、上記複数の操作部材（符号４，５，６）のうちの符号６で示す押圧操作式の操作部材は、例えば当該撮像装置１の電源のオンオフ操作を行うための電源操作部材（電源ボタン６）である。
【００３４】
上記ズームレバー４は、シャッターレリーズボタン５の外周縁を囲うように構成されている。また、当該ズームレバー４は、上記トップカバー３に対して、例えばバヨネット方式の結合手段によって取り付けられている。この場合において、当該ズームレバー４は、シャッターレリーズボタン５の中心軸（押圧軸５ａ；後述）であり移動軸と同軸の回動中心軸である回動軸Ｘ１（図１参照）を有し、当該回動軸Ｘ１を中心として正逆両方向に往復回動自在となるように、上記トップカバー３に対して取り付けられている。
【００３５】
即ち、詳述すると、上記ズームレバー４（回動操作式の操作部材；回動操作レバー）は、図１，図２等に示すように、操作部４ａと、複数の係合腕部４ｂと、押圧用突部４ｃと、貫通孔４ｄとを有している。操作部４ａは、当該ズームレバー４を回動軸Ｘ１周り（図１の矢印Ｒ方向）に回動操作する際に、使用者（ユーザ）が手指をかけて回動操作するための指かけ部である。
【００３６】
また、複数の係合腕部４ｂは、ズームレバー４と上記トップカバー３との間のバヨネット結合を確保するための構成部である。そのために、複数の係合腕部４ｂは、回動軸Ｘ１と平行方向となるように、即ちズームレバー４をトップカバー３に取り付けた状態において上面から底面に向く方向（下向き方向）となるように突設されている。複数の係合腕部４ｂは、ズームレバー４の周方向において略等間隔となるように複数配設されている。本実施形態においては、三本の係合腕部４ｂを設けた例を示している。したがって、本実施形態においては、これら三本の係合腕部４ｂは、周方向に角度略１２０度間隔を置いて配置されているものとする。
【００３７】
この場合において、複数の係合腕部４ｂの各先端には係合爪をそれぞれ備えて形成されている。これら複数の係合腕部４ｂの各係合爪は、上記トップカバー３の被係合部（不図示）に対して係合されて、軸方向への抜去が抑止されている。
【００３８】
このような構成により、当該ズームレバー４は、上記トップカバー３に対してバヨネット係合し、回動軸Ｘ１周り（矢印Ｒ方向）の回動が許容されていると共に、同ズームレバー４の回動軸Ｘ１の軸方向への移動が規制去れ、抜け落ちることが抑止されている。なお、ズームレバー４の回動軸Ｘ１周り（図１の矢印Ｒ方向）の回動規制は一定角度内に規制されバヨネット係合外れが防止されているが、該回動規制はズームレバー４の係合腕部４ｂの一つがズームベース部材７に形成されている円弧状の凹部の一対の壁部７ｆ（図１参照；図３不図示）の間に配置されることにより行われている。この種のバヨネット結合の構成については周知の技術であるので、その更なる詳細構成の図示及び説明を省略する。
【００３９】
なお、上記ズームレバー４は、所定の範囲内で往復回動するように、その回動範囲が規制されている。その場合の回動範囲を規制するための構成については周知であるので詳述しない。簡略に言えば、例えば、ズームレバー４の複数の係合腕部４ｂ又は操作部４ａのそれぞれ若しくは一方の周方向の移動を、所定の位置で阻止する回動阻止部材を設ける等によって、ズームレバー４の回動範囲を所定の範囲内に規制する構成は、容易に実現できる。
【００４０】
また、上記ズームレバー４の回動軸Ｘ１には、当該ズームレバー４の中立位置を保持するための付勢ばねであるズームバネ１３が設けられている。このズームバネ１３は、例えばネジリバネ等によって形成されている。そして、当該ズームバネ１３は、上記ズームレバー４の回動軸Ｘ１周りであって、具体的にはシャッターレリーズボタン５の押圧軸５ａ周りに巻回配置され、かつ当該ズームバネ１３の端腕１３ａが上記複数の係合腕部４ｂのうちのいずれか一つを挟持するように係合されている。このような構成によって、ズームレバー４は、回動軸Ｘ１周り（矢印Ｒ）の回動方向における中立位置が保持されている。
【００４１】
即ち、当該ズームレバー４が上記中立位置にあるとき、使用者（ユーザ）によってズームレバー４が回動軸Ｘ１周り（矢印Ｒ）の往復回動方向における一方向又は他方向に回動操作されると、当該ズームレバー４は上記ズームバネ１３の付勢力に抗して回動し、これに伴って係合腕部４ｂも回動軸Ｘ１周り（矢印Ｒ）の同方向へと回動する、これにより、上記ズームバネ１３は蓄勢される。そして、使用者（ユーザ）が任意のときに、その回動操作を解除すると、ズームレバー４は、ズームバネ１３に蓄勢されていた付勢力によって、回動操作方向とは反対の回動方向に回動し、上記中立位置に復帰するように構成されている。
【００４２】
押圧用突部４ｃは、上記複数の係合腕部４ｂのうちのいずれか一つにおいて、先端に向けて突設される構成部である。この押圧用突部４ｃは、回動軸Ｘ１と平行方向に、且つ周方向に沿う円弧状に突出し、当該ズームレバー４の回動軸Ｘ１周り（矢印Ｒ）の往復回動に伴って、同回動軸Ｘ１周りの周方向に移動可能に形成されている。
【００４３】
さらに、貫通孔４ｄは、回動軸Ｘ１を中心とする貫通孔である。この貫通孔４ｄにはシャッターレリーズボタン５が、回動軸Ｘ１に沿う方向に移動可能に配設される。つまり、当該ズームレバー４は、上記貫通孔４ｄにシャッターレリーズボタン５を配置した状態で、当該シャッターレリーズボタン５の外周縁を囲うように構成されている。
【００４４】
上記シャッターレリーズボタン５は、押圧軸５ａと、複数の回転止腕部５ｂとを有する押圧操作式の操作部材である。押圧軸５ａは、図１に示すように、当該撮像装置１の内部に設けられる電気基板１０（詳細後述）上に実装された複数のスイッチ部材のうちシャッタスイッチ１０ｂに作用する棒状部である。この押圧軸５ａは、上記ズームレバー４の回動軸Ｘ１に略一致するように配設されている。
【００４５】
複数の回転止腕部５ｂは、図１，図６に示すように、当該シャッターレリーズボタン５の外周縁部より回動軸Ｘ１と平行方向に（当該シャッターレリーズボタン５をトップカバー３に取り付けた状態（図６参照）において上面から底面に向く方向（下向き）に）突出する構成部である。複数の回転止腕部５ｂは、当該シャッターレリーズボタン５の外周に沿って略等間隔に配設されている。本実施形態においては、上記複数の回転止腕部５ｂは３本形成した例を示している。したがって、本実施形態においては、これら三本の回転止腕部５ｂは、周方向に角度略１２０度間隔を置いて配置されているものとする。
【００４６】
一方、上記トップカバー３には、上記ズームレバー４及び上記シャッターレリーズボタン５に対応させて、当該ズームレバー４を回動自在に配設し、かつシャッターレリーズボタン５を回動軸Ｘ１の沿う方向に押圧自在に配設する貫通孔３ａが形成されている。この貫通孔３ａは、回動軸Ｘ１を中心軸とする略円形状の貫通孔である。貫通孔３ａの内周縁部には、上記被係合部（不図示）が形成されている。これにより、トップカバー３は、上記ズームレバー４を外部に露呈させ、当該ズームレバー４を回動自在に保持する保持部材として機能している。
【００４７】
これと同時に、上記ズームレバー４の貫通孔４ｄには、シャッターレリーズボタン５が回動軸Ｘ１の沿う方向に押圧自在に配設されている。これにより、トップカバー３は、上記シャッターレリーズボタン５の一部を外部に露呈させ、当該シャッターレリーズボタン５を回動軸Ｘ１方向に押圧自在に配設する部材でもある。
【００４８】
さらに、当該トップカバー３には、上記貫通孔３ａに隣接する部位に、貫通孔３ｂが形成されている。この貫通孔３ｂは、電源ボタン６の一部を外部に露呈させ、当該電源ボタン６を回動軸Ｘ１と平行方向に押圧自在に保持する役目をしている。なお、電源ボタン６は、当該撮像装置１の内部に設けられる電気基板１０（詳細後述）上に実装された複数のスイッチ部材のうち電源スイッチ１０ｃに作用する棒状部である。この押圧軸６ａは、上記ズームレバー４の回動軸Ｘ１と平行な方向であって下方に向けて（底面に向けて）延出するように形成されている。
【００４９】
次に、上記トップカバー３と上記本体筐体２の上面との間には、外面（上方）寄りの部位から順にズームベース部材７と、トップフレーム板８と、防水ゴム９と、が積層する形態で配設されている。
【００５０】
ズームベース部材７は、図１，図３（又は図６；ただし図６ではズーム押子１２は不図示）に示すように、ズーム押子１２（詳細後述；図４参照）を揺動自在に配設すると共に、シャッターレリーズボタン５を回動軸Ｘ１に沿う方向で押圧可能に配置し、かつ同シャッターレリーズボタン５の回動軸Ｘ１周りの回転を規制する構成部材である。そのために、ズームベース部材７には、図３に示すように、ズーム押子配置部７ａと、複数のシャッタボタン回転規制部７ｂと、シャッタボタン軸貫通孔７ｃ、レリーズボタン被係合部７ｄと、揺動軸嵌合部７ｅとを有している。
【００５１】
複数のシャッタボタン回転規制部７ｂは、ズームベース部材７に組み込まれたシャッターレリーズボタン５（図６に示す状態）が、上記ズームレバー４が回動操作されたときに当該ズームレバー４に連動して同方向に回転してしまうのを規制する構成部位である。そのために、シャッタボタン回転規制部７ｂは、ズームベース部材７に対してシャッターレリーズボタン５が取り付けられたときに、同シャッターレリーズボタン５の複数の回転止腕部５ｂのそれぞれに対向する位置に、回転止腕部５ｂと同数形成されている。そして、シャッタボタン回転規制部７ｂは、複数の回転止腕部５ｂを周方向で挟み込むように形成される一対のブロック部材である。
【００５２】
さらに、複数の回転止腕部５ｂの先端には、係合爪部（不図示）が形成されている。そして、これら各回転止腕部５ｂの先端の係合爪部は、ズームベース部材７に形成されているレリーズボタン被係合部７ｄ（図３参照）に係合している。これにより、ズームベース部材７に対してシャッターレリーズボタン５を取り付けたとき、複数の回転止腕部５ｂの先端の各係合爪部がレリーズボタン被係合部７ｄに係合することによって、当該シャッターレリーズボタン５は、回動軸Ｘ１に沿う方向に抜け落ちないように構成されている。また、シャッターレリーズボタン５の上記係合爪部による抜け落ち防止は必ずしも必要ではなく、ズームレバー４がシャッターレリーズボタン５の外周に嵌合し、シャッターレリーズボタン５の段部５ｃを上方から押さえるだけの設計としてもよい。
【００５３】
シャッタボタン軸貫通孔７ｃは、ズームベース部材７に組み込まれたシャッターレリーズボタン５の押圧軸５ａを挿通させる貫通孔である。これにより、シャッターレリーズボタン５の押圧軸５ａは、上記トップカバー３の貫通孔３ａを貫通した後、ズームベース部材７のシャッタボタン軸貫通孔７ｃを挿通する。さらに、シャッターレリーズボタン５の押圧軸５ａは、後述のトップフレーム板８の貫通孔８ｂを貫通し、後述の防水ゴム９の軸嵌合部９ｂに嵌合する。
【００５４】
なお、ズームベース部材７に対してシャッターレリーズボタン５が取り付けられる際には、ズームベース部材７とシャッターレリーズボタン５との間に、レリーズスプリング１４（図１参照）が圧縮された状態で配設されている。このレリーズスプリング１４は、例えばコイルばね等によって構成されている。
【００５５】
このような構成により、シャッターレリーズボタン５は、当該レリーズスプリング１４の付勢力によって、ズームベース部材７から離れる方向に常に付勢されている。換言すると、シャッターレリーズボタン５は、当該レリーズスプリング１４の付勢力によって、ズームベース部材７から押し上げられる方向に常に付勢されている。しかしながら、このとき、シャッターレリーズボタン５は、上述したように、各回転止腕部５ｂの先端の係合爪がズームベース部材７の被係合部（不図示）に係合している。したがって、シャッターレリーズボタン５は、通常状態時には、レリーズスプリング１４の付勢力によってズームベース部材７から抜け出てしまうことのないように、かつ回動軸Ｘ１に沿う方向において下方に向けた（底面に向けた）押圧力量がレリーズスプリング１４の付勢力に抗して加わったときには、当該押圧方向に移動可能な状態でズームベース部材７に対して保持されている。
【００５６】
ズーム押子配置部７ａは、ズーム押子１２（図４参照）を矢印Ｓ方向に揺動自在に配設する部位である。ここで、ズーム押子１２は、ズームベース部材７に取り付けられ、ズームレバー４の回動操作を受けて図４の矢印Ｓ方向に揺動することによって、防水ゴム９（詳細後述）を介して電気基板１０（詳細後述）上の一対のスイッチパターン（符号１０ａ；図１参照）に作用する揺動腕部材である。即ち、当該ズーム押子１２は、ズームレバー４（回動操作レバー）の回動操作を押圧動作に変換する構成部材である。
【００５７】
ズーム押子１２は、図４に示すように、揺動軸１２ａと、一対の突部腕１２ｂと、一対の押圧部１２ｃとを有して形成される。揺動軸１２ａは、上記ズームレバー４（回動操作レバー）の回動軸Ｘ１と交差する面上に位置する軸（図３，図４に示す符号Ａｘ参照）を有する回動軸部である。本実施形態ではその軸が回動軸Ｘ１と直交して配設されている。この揺動軸１２ａは、当該ズーム押子１２がズームベース部材７のズーム押子配置部７ａに配設されたときに、ズームベース部材７の揺動軸嵌合部７ｅに対し回動自在に嵌合して配置される。このような構成により、当該ズーム押子１２は、揺動軸１２ａ（回動軸部）を揺動中心として図４の矢印Ｓ方向に往復揺動する。
【００５８】
一対の突部腕１２ｂは、揺動軸１２ａ（回動軸部）の中程の部位において、当該揺動軸１２ａに対して直交する両方向に向けてそれぞれ突出し、当該揺動軸１２ａを挟んで双方に配置される一対の構成部である。言い換えると、この一対の構成部は、揺動軸１２ａからそれぞれ径方向に延出した腕部である突部腕と言える。この一対の突部腕１２ｂそれぞれは揺動軸１２ａを中心に、鈍角をなし、揺動軸１２ａを含む平面であって相対的に傾斜する傾斜面を有して形成されている。両傾斜面は揺動軸１２ａの外周面近傍を通る滑らかな曲面で繋がれた連続した面となるように形成されている。簡略に言えば、上記一対の突部腕１２ｂは、揺動軸１２ａに直交する平面での断面が緩傾斜のＶ字状に形成され、当該Ｖ字状の谷部分に上記揺動軸１２ａが配設される形態となっている。そして、ズーム押子１２がズームベース部材７の所定の位置に取り付けられたときには、上記一対の突部腕１２ｂはズーム押子配置部７ａ内において揺動軸１２ａを回動中心として、矢印Ｓ方向の揺動が発生するように配設される。
【００５９】
このように、ズーム押子１２が取り付けられたズームベース部材７に対してズームレバー４が組み付けられた状態となったとき、当該ズームレバー４の押圧用突部４ｃは、上記一対の突部腕１２ｂに対向する位置に配置される。
【００６０】
このような構成により、ズームレバー４が、中立位置にあるとき、押圧用突部４ｃは、一対の傾斜面の間にあり、これらの一対の傾斜面には作用しない。そして、ズームレバー４が中立位置から回動操作されると、当該ズームレバー４の押圧用突部４ｃが、上記一対の突部腕１２ｂに沿って、揺動軸１２ａに略直交する方向に移動する。これにより、当該ズームレバー４の押圧用突部４ｃは、上記一対の突部腕１２ｂの一方の傾斜面に当接し、当該傾斜面を押圧する。したがって、これにより、上記突部腕１２ｂは、揺動軸１２ａを回動中心として矢印Ｓに沿う方向における一方に揺動する。
【００６１】
つまり、上記ズームレバー４（回動操作レバー）が一方向に回動すると、上記一対の突部腕１２ｂの一方の突部腕１２ｂが押圧されて変位する。また、上記ズームレバー４（回動操作レバー）が他方向に回動すると、上記一対の突部腕１２ｂの他方の突部腕１２ｂが押圧され変位する。
【００６２】
なお、上記一対の突部腕１２ｂの各傾斜面の裏面側の各部位には、それぞれに押圧部１２ｃが設けられている。これら一対の押圧部１２ｃは、上記ズームレバー４が回動操作されて上記ズーム押子１２が揺動軸１２ａを回動中心として揺動したとき、防水ゴム９（詳細後述）の所定の部位（被押圧部９ａ）を押圧する部位である。
【００６３】
ズームベース部材７の下側（底面寄りのがわ）には、剛性の高い材料からなる板状のトップフレーム板８が配設されている。このトップフレーム板８は、上記ズームベース部材７の下面（底面に対向する面）と防水ゴム９の上面との間に挟持されている。これにより、トップフレーム板８は、その上面にズームベース部材７を載置して支えると共に、その下面（底面に対向する面）においては防水ゴム９と密着することによって、当該防水ゴム９による開口２ｂ周りの防水機能を実現している。
【００６４】
そのために、トップフレーム板８は、例えばプレス加工された金属製の平板部材によって形成されている。なお、トップフレーム板８には、複数の孔部が形成されている。例えば、ズーム押子１２を配置しその揺動を許容する貫通孔８ａと、シャッターレリーズボタン５の押圧軸５ａを挿通させる貫通孔８ｂと、電源ボタン６の押圧軸６ａを挿通させる貫通孔８ｃ等が形成されている。したがって、防水ゴム９は、上記複数の孔部以外の領域で上記トップフレーム板８の下面（底面に対向する面）との間で密着するように配設される。
【００６５】
トップフレーム板８の下側（底面に対向する面）とは防水ゴム９が配設されている。この場合において、当該防水ゴム９は、上記本体筐体２の上面における上記操作部ユニット配設用開口２ｂを塞ぐように配設されている。即ち、当該防水ゴム９は、上記操作部ユニット２０と上記本体筐体２との間に介在して、両者間の防水機能を実現する水密用カバー部材である。
【００６６】
防水ゴム９は、全体がエラストマーであるシリコーン（silicone）ゴム等の弾性部材によって形成され、外周縁部９ｄが上記操作部ユニット配設用開口２ｂの周縁と一致する形状となるように形成されている。
【００６７】
防水ゴム９の上面には、図１に示すように、一対の被押圧部９ａと、有底穴の軸嵌合部９ｂと、同じく有底穴の軸嵌合部９ｃとを有して形成されている。また、これらに対応させて、当該防水ゴム９の下面（底面に対向する面）には、図５に示すように、一対の接点９ａａと、シャッタ凸部９ｂｂと、電源凸部９ｃｃとを有して形成されている。
【００６８】
一対の被押圧部９ａは、対応する下面（底面に対向する面）に一対の接点９ａａを有する部位である。この一対の被押圧部９ａは、上記ズームレバー４が回動操作されたときにズーム押子１２が揺動して一対の押圧部１２ｃの一方又は他方によって同方向に押圧される構成部である。そして、上記一対の接点９ａａは、後述する電気基板１０上の一対のスイッチパターン１０ａ（詳細後述）に作用する導電チップ部である。なお、上記一対の接点９ａａのうち一方を第１の接点というものとし、他方を第２の接点というものとする。また、上記一対のスイッチパターンのうち一方を第１のスイッチパターンというものとし、他方を第２のスイッチパターンというものとする。
【００６９】
そして、ズームレバー４の回動操作によってズーム押子１２（揺動腕部材）が揺動して、一対の突部腕１２ｂのうちの一方の突部腕１２ｂが変位した場合には、第１の接点９ａａが、電気基板１０の第１のスイッチパターン１０ａを電気的にオンにするものとする。また同様に、一対の突部腕１２ｂの他方の突部腕１２ｂが変位した場合には、第２の接点９ａａが、後述する電気基板１０の第２のスイッチパターン１０ａを電気的にオンにするものとする。
【００７０】
軸嵌合部９ｂは、シャッターレリーズボタン５の押圧軸５ａの先端が嵌合し固定される部位である。この軸嵌合部９ｂの下面（底面に対向する面）側には、シャッタ凸部９ｂｂが形成されている。つまり、軸嵌合部９ｂは、上記シャッターレリーズボタン５が押圧操作されたときに、押圧軸５ａによって押圧される構成部である。そして、シャッタ凸部９ｂｂは、後述する電気基板１０上のシャッタスイッチ１０ｂに対向するように配置されている。この構成により、上記軸嵌合部９ｂが押圧されると、シャッタ凸部９ｂｂも下方に向けて（底面に向けて）移動して、上記シャッタスイッチ１０ｂを押圧する。
【００７１】
軸嵌合部９ｃは、電源ボタン６の押圧軸６ａが嵌合配置される部位である。この軸嵌合部９ｃの裏面（下面）側には、電源凸部９ｃｃが形成されている。つまり、軸嵌合部９ｃは、上記電源ボタン６が押圧操作されたときに、押圧軸６ａによって押圧される構成部である。そして、電源凸部９ｃｃは、後述する電気基板１０上の電源スイッチ１０ｃに対向するように配置されている。この構成により、上記軸嵌合部９ｃが押圧されると、電源凸部９ｃｃも下方に向けて移動して、上記電源スイッチ１０ｃを押圧する。なお、防水ゴム９の板状に形成された板部分上に形成されたこれら軸嵌合部９ｂ、９ｃの周囲は薄肉状に形成され軸嵌合部９ｂ、９ｃそれぞれは容易に、板部分の厚み方向に変位可能となっている。また一対の被押圧部９ａ周囲もテーパ形状で、同様に薄肉状に形成され上記と同様に板部分の厚み方向に容易に変位可能となっている。
【００７２】
上記防水ゴム９を介して上記本体筐体２の上記操作部ユニット配設用開口２ｂの内側には、電気基板１０と、ベースフレーム板１１とが積層して設けられている。
【００７３】
電気基板１０は、第１のスイッチパターン及び第２のスイッチパターン（符号１０ａ）を有し、上記第１のスイッチパターン１０ａは一方の突部腕１２ｂと対向する位置に配置され、第２のスイッチパターン１０ａは他方の突部腕１２ｂと対向する位置に配置されている。また、電気基板１０には、例えばシャッタスイッチ１０ｂや、電源スイッチ１０ｃ等の電気部品が実装配置されている。
【００７４】
ベースフレーム板１１は、上記電気基板１０を載置して支える構成部材である。当該ベースフレーム板１１は、例えばプレス加工された金属製の平板部材等によって形成されている。
【００７５】
なお、換言すると、防水ゴム９は、上記ズーム押子１２（揺動腕部材）と電気基板１０との間に配置されているとも言える。この場合において、防水ゴム９は、電気基板１０の一対の（第１，第２の）スイッチパターン（符号１０ａ）を水密に覆っている。
【００７６】
本実施形態の撮像装置１の主な構成は以上の通りである。本実施形態の撮像装置１における、上記以外の構成については、本発明に直接関連しない部分であるので、その詳細な図示及び説明は省略する。
【００７７】
このように構成された上記一実施形態の撮像装置１において、操作部ユニット２０の作用を以下に簡単に説明する。
【００７８】
図１に示す操作部ユニット２０の各構成部材が撮像装置１における本体筐体２に組み付けられた状態において、使用者（ユーザ）がズームレバー４を図１に示す矢印Ｒに沿う方向における所定の方向、例えば図７の矢印Ｒ１方向に回動操作したとする。このとき、ズームレバー４は、ズームバネ１３の付勢力に抗して当該回動操作方向に回動される。これによりズームバネ１３は蓄勢される。
【００７９】
上記回動操作を受けて、ズームレバー４が図７の矢印Ｒ１方向に回動すると、これに伴ってズームレバー４の押圧用突部４ｃが同方向に移動する。このときの押圧用突部４ｃの移動は、例えば図７の矢印Ｈ１方向への移動として示すことができる。このように、押圧用突部４ｃが図７の矢印Ｈ１方向へ移動すると、当該押圧用突部４ｃはズーム押子１２の一方の突部腕１２ｂの傾斜面に当接し、これを同方向（矢印Ｈ１方向）へ押圧する。これにより、ズーム押子１２は、図７の矢印Ｓ１方向に揺動する。すると、ズーム押子１２の一方の押圧部１２ｃが防水ゴム９の一方の被押圧部９ａを押圧する。これにより、防水ゴム９の第１の接点９ａａが、電気基板１０の第１のスイッチパターン１０ａに接触し、これを電気的にオンにする。
【００８０】
ズームレバー４への使用者（ユーザ）による回動操作が解除されると、ズームレバー４は、ズームバネ１３に蓄勢されていた付勢力によって、回動操作方向（ここでは矢印Ｒ１方向）とは反対の回動方向（図７の矢印Ｒ２方向）に回動する。そして、ズームレバー４は所定の中立位置に復帰する。
【００８１】
一方、ズームレバー４が上記中立位置にある時、使用者（ユーザ）が当該ズームレバー４を図７の矢印Ｒ２方向に回動操作した場合には、その作用方向は異なるが略同様の作用となる。即ち、ズームレバー４が矢印Ｒ２方向に回動すると、押圧用突部４ｃは矢印Ｈ２方向へ移動する。これにより、押圧用突部４ｃはズーム押子１２の他方の突部腕１２ｂの傾斜面に当接して、これを矢印Ｈ２方向へ押圧する。これにより、ズーム押子１２は、矢印Ｓ２方向に揺動する。すると、ズーム押子１２の他方の押圧部１２ｃが防水ゴム９の他方の被押圧部９ａを押圧する。これにより、防水ゴム９の第２の接点９ａａが、電気基板１０の第２のスイッチパターン１０ａに接触し、これを電気的にオンにする。
【００８２】
ズームレバー４への使用者（ユーザ）による回動操作が解除されると、ズームレバー４は、ズームバネ１３に蓄勢されていた付勢力によって、回動操作方向（ここでは矢印Ｒ２方向）とは反対の回動方向（矢印Ｒ１方向）に回動する。そして、ズームレバー４は所定の中立位置に復帰する。
【００８３】
以上説明したように上記一実施形態によれば、ズームレバー４（回動操作式の回動操作レバー）を有する防水機器である撮像装置１において、ズームレバー４（回動操作レバー）の回動操作を押圧動作に変換するズーム押子１２（揺動腕部材）を設けると共に、電気基板１０上の少なくとも一対のスイッチパターン１０ａ（第１のスイッチパターンと第２のスイッチパターン）を水密に覆う防水ゴム９（水密用カバー部材）を、電気基板１０とズーム押子１２（揺動腕部材）との間に配置することによって、より簡単な構成で、回動操作式の操作部材による良好な操作性を維持しながら、充分な防水機構を実現することができる。
【００８４】
この場合において、さらに、防水ゴム９には一対の接点９ａａを設け、これら一対の接点９ａａは、ズームレバー４の回動操作を受けて変換された押圧動作により押圧される被押圧部９ａの対応させて設けている。そして、ズームレバー４の回動操作を受けて防水ゴム９の被押圧部９ａが押圧されると、上記一対の接点９ａａの一方又は他方の接点９ａａが、電気基板１０上の一対のスイッチパターン１０ａの一方又は他方に接触することによって電気的にオンされるように構成している。
【００８５】
なお、本実施形態におけるシャッターレリーズボタン５のシャッタスイッチ１０ｂに対する押圧は防水ゴム９を介して行っているが、これに替わり、軸嵌合部９ｂの嵌合部穴径を締り嵌め寸法にし、さらに防水ゴム９の軸嵌合部９ｂの穴を貫通孔として、シャッターレリーズボタン５の押圧軸５ａをこの軸嵌合部９ｃの貫通孔に貫通させ、この孔とこの軸とを密着、水密状態とさせ、直接、押圧軸５ａがシャッタスイッチ１０ｂを押圧させてもよい。そして同時に防水ゴム９の軸嵌合部９ｃの穴を貫通孔として、電源ボタン６の押圧軸６ａも、上記と同様に水密状態とさせ、直接、電源スイッチ１０ｃを押圧できるようにしてもよい。
【００８６】
したがって、ズームレバー４（回動操作式の回動操作レバー）を有する防水機器である撮像装置１において、必要な防水性能を維持しながら、操作性の向上を確保することが、より簡単な構成によって実現することができる。
【００８７】
なお、本発明の一実施形態においては、操作レバーを有する防水機器であって、特に回動操作式の回動操作レバーを有する防水機器として、例えばデジタルカメラ等の撮像装置を用いて説明しているが、本発明は、この形態に限られることはなく、各種の形態の防水機器、例えばデジタル一眼レフカメラやコンパクトデジタルカメラ若しくはレンズ型カメラ等に対しても同様に適用し得る。また、ビデオカメラやムービーカメラ等といった動画用の撮像装置であっても適用できる。さらに、携帯電話やスマートフォンなど携帯型通信用端末装置や、電子手帳等の携帯型情報端末（ＰＤＡ：Personal Digital Assist）等のほか、テレビジョン受信機やパーソナルコンピュータ等の据え置き型の機器に内蔵される形態の防水機器（カメラ；撮像装置等）に対しても、本発明は適用可能である。さらに、内視鏡や顕微鏡等のような産業用若しくは医療用の光学機器において撮像機能を有するものや監視カメラや車載用カメラ等の固定設置型のカメラ等であっても適用できる。
【００８８】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【００８９】
本発明は、防水機器において、撮像機能に特化した撮像機器のみに限られることはなく、撮像機能を備えたその他の形態の電子機器、例えばデジタルカメラ、ムービーカメラ、携帯電話、スマートフォン、電子手帳、電子辞書、携帯情報端末、パーソナルコンピュータ、タブレット型端末機器、ゲーム機器、テレビジョン受像器、時計、ＧＰＳ（Global Positioning System）を利用したナビゲーション機器等、各種の撮像機能付きで防水機能付きの電子機器に対して広く適用することができる。
【００９０】
さらに、撮像素子を用いて画像を取得して、その取得画像を表示装置を用いて表示する機能を有する電子機器、例えば望遠鏡、双眼鏡、単眼鏡、顕微鏡等の防水機能付きの観察用機器に対しても同様に適用することができる。
【００９１】
また、内視鏡、顕微鏡のような産業用若しくは医療用の観察機器等のほか、監視カメラや車載用カメラ等であっても同様に適用することができる。
【００９２】
これらに加えてさらに、例えば透過型液晶表示装置等を用いて画像を拡大投影する投影型画像表示装置等に対しても同様に適用することが可能である。
【符号の説明】
【００９３】
１……撮像装置
２……本体筐体
２ａ……撮像開口
２ｂ……操作部ユニット配設用開口
３……トップカバー
３ａ，３ｂ……貫通孔
４……ズームレバー
４ａ……操作部
４ｂ……係合腕部
４ｃ……押圧用突部
４ｄ……貫通孔
５……シャッターレリーズボタン
５ａ……押圧軸
５ｂ……回転止腕部
６……電源ボタン
６ａ……押圧軸
７……ズームベース部材
７ａ……ズーム押子配置部
７ｂ……シャッタボタン回転規制部
７ｃ……シャッタボタン軸貫通孔
７ｄ……レリーズボタン被係合部
７ｅ……揺動軸嵌合部
７ｆ……一対の壁部
８……トップフレーム板
８ａ，８ｂ，８ｃ……貫通孔
９……防水ゴム
９ａ……被押圧部
９ａａ……第１接点，第２接点
９ｂ……軸嵌合部
９ｂｂ……シャッタ凸部
９ｃ……軸嵌合部
９ｃｃ……電源凸部
９ｄ……外周縁部
１０……電気基板
１０ａ……第１スイッチパターン，第２スイッチパターン
１０ｂ……シャッタスイッチ
１０ｃ……電源スイッチ
１１……ベースフレーム板
１２……ズーム押子
１２ａ……揺動軸
１２ｂ……突部腕
１２ｃ……押圧部
１３……ズームバネ
１３ａ……端腕
１４……レリーズスプリング
１５……ビス
２０……操作部ユニット
【図１】
2017219707.tif 000003
【図２】
2017219707.tif 000004
【図３】
2017219707.tif 000005
【図４】
2017219707.tif 000006
【図５】
2017219707.tif 000007
【図６】
2017219707.tif 000008
【図７】
2017219707.tif 000009